(57)【要約】【課題】  制御部異常状態においても正確な電流値を測定し、ガス遮断の可否を判断できるようにるすこと。【解決手段】  制御部５の消費電流を検出し、消費電流が所定範囲内にない場合に電流値を出力する電流検出部６を設け、またガス遮断装置の電流検出部を制御部５と別設にしている。これによって、制御部異常状態においても正確な電流値を測定し、ガス遮断の可否を判断することができる。【選択図】  図１
2005077023.tif 000002
【特許請求の範囲】
【請求項１】
ガス流量を検出する流量検出部と、ガス流路内に配置されガスを遮断する遮断弁と、遮断信号により前記遮断弁を駆動する弁駆動部と、前記流量検出部からの信号により流量を演算する流量演算部と、前記弁駆動部と流量演算部を制御する制御部と、前記制御部の消費電流を検出し、消費電流が所定範囲内にない場合に電流値を出力する電流検出部とを備えたガス遮断装置。
【請求項２】
電流検出部からの電流値を、通信回線を介して送信するための通信部を備えた請求項１に記載のガス遮断装置。
【請求項３】
電流検出部からの電流値が所定値以上の場合、弁駆動部に遮断信号を出力する電流値判定部を備えた請求項１に記載のガス遮断装置。
【請求項４】
電流検出部からの電流値が所定値未満の場合、制御部の回路異常を自己診断する自己診断部と、電流検出部からの電流値を記憶しておく記憶部と、前記記憶部で記憶されている過去複数回の消費電流値と測定した消費電流値を比較して、差異が所定範囲内である場合は遮断信号を出力する比較部とを備えた請求項３に記載のガス遮断装置。
【請求項５】
自己診断部の診断結果を通信回路を介して送信するための通信部を備えた請求項４に記載のガス遮断装置。
【発明の詳細な説明】
【技術分野】
【０００１】
本発明は、ガスメータ以後のガス使用時に、ガス使用上の安全を図るガス遮断装置に関するものである。
【背景技術】
【０００２】
現在既に実用化されているガスメータは、ガスの流量等を監視する。通常の使用状態と異なる大量のガスが流れたり、長時間に渡ってガスが連続して流れた場合や、地震などの異常が発生した場合には、制御部が異常状態であると判断し、遮断弁に電流を流してガスの供給を停止し、事故を事前に防止する構成となっている。また、この制御は、電話回線等を通じて外部から遠隔操作ができるようになっている。
【０００３】
また、従来のガス遮断装置の制御部は回路や電源の発熱・発火を防止すると共に一時的な回路の短絡等が発生した場合に、その間のみ電流を遮断し回路を正常に復帰させるものがある（特許文献１参照）。
【０００４】
図３はガス通路を遮断する遮断弁１と、電池により電源供給する電源２と、遮断弁の動作を制御するマイクロコンピューター３と回路部４とを備えている。さらに通常は抵抗値が小さいが過電流時には抵抗値が増大し通常使用状態となると抵抗値が元に戻る保護素子５と、前記マイクロコンピューター３、回路部４及び保護素子５を実装するプリント配線板６とを備えているものである。
【特許文献１】特開平１１−１６６７２３号公報
【発明の開示】
【発明が解決しようとする課題】
【０００５】
しかしながら、前記従来の構成では制御部が過電流により動作不能状態でもガスが使用可能である、また過電流により回路、部品が異常をきたした状態であっても、継続して制御部を使用するため、ガス使用が可能であるという課題を有していた。
【０００６】
本発明は、従来の問題点を解決したもので、制御部が過電流状態で動作不能状態でも所定範囲の電流値であれば、電流値の大きさに応じてガスを即遮断するか、または回路の診断を行い問題がなければ継続してガスを継続して使用するかを選択することができる。また回路の短絡等によって発生する過電流により回路部及び電源の診断をし、異常時にはガス遮断、異常がなければ継続してガスを使用することができるためガス事業者のガス使用上の利便性、及びガス使用上の安全性確保を向上させるガス遮断装置を提供することを目的とする。
【課題を解決するための手段】
【０００７】
前記従来の課題を解決するために、本発明のガス遮断装置は電流検出部を制御部と別設にすることで、制御部異常状態においても正確な電流値を測定し、ガス遮断の可否を判断することができるため、ガス事業者のガス使用上の利便性、及びガス使用上の安全性確保を向上させるガス遮断装置を提供することを目的とする。
【発明の効果】
【０００８】
以上のように、本発明によれば本実施の形態のガス遮断装置は電流検出部を制御部と別設にすることで、制御部異常状態においても正確な電流値を測定し、ガス遮断の可否を判断することができる。
【発明を実施するための最良の形態】
【０００９】
請求項１に係る発明は、ガス流量を検出する流量検出部と、ガス流路内に配置されガスを遮断する遮断弁と、流量検出部からの信号により流量を演算する流量演算部と、弁駆動部と流量演算部を制御する制御部と、制御部の消費電流を検出し、消費電流が所定範囲内にない場合に電流値を出力する電流検出部とで構成されたもので、ガス遮断装置は電流検出部を制御部と別設にすることで、制御部異常状態においても正確な電流値を測定し、ガス遮断の可否を判断することができる
請求項２に係る発明は、特に請求項１に記載の電流検出部からの電流値を、通信回線を介して送信するための通信部を有したもので、制御部の電流値をセンタにて確認することが出来るため、現場にて適切な対応をとることができる。
【００１０】
請求項３に係る発明は、特に請求項１に記載の電流検出部からの電流値が所定値以上の場合、弁駆動部に遮断信号を出力する電流値判定部を有したもので、消費電流が所定値よりも大きい場合にガスを即遮断することで、電池が消耗する前にガス使用上の安全を確保することができる。
【００１１】
請求項４に係る発明は、特に請求項３に記載の電流検出部からの電流値が所定値未満の場合、制御部の回路異常を自己診断する自己診断部と、電流検出部からの電流値を記憶しておく記憶部と、前記記憶部で記憶されている過去複数回の消費電流値と測定した消費電流値を比較して、差異が所定範囲内である場合は遮断信号を出力する比較部とを有したもので、回路が異常状態である場合、ガスを即遮断することで、回路異常動作からガス使用上の安全を確保することができる。
【００１２】
さらに、回路に異常がない場合でも一定期間中に一定範囲の消費電流を消費している場合、ガスを遮断することで、電池が消耗する前にガス使用上の安全を確保することができる。
【００１３】
請求項５に係る発明は、特に請求項４に記載の自己診断部の診断結果を通信回路を介して送信するための通信部を有したもので、検出した異常状態により、制御部の交換までの期間に、異常箇所がガス使用上、安全上問題ない箇所であれば継続してガスを使用できるようにすることで、ガス使用上の利便性を図ることができる。
【００１４】
以下本発明の具体的な実施の形態について、図面を参照しながら説明する。
【００１５】
（実施の形態１）
図１は本発明の実施の形態１のガス遮断装置の構成図である。図１に示すように、ガス流量を検出する流量検出部１と、ガス流路内に配置されガスを遮断する遮断弁２と、遮断信号により遮断弁２を駆動する弁駆動部３と、流量検出部１からの信号により流量を演算する流量演算部４と、弁駆動部３と流量演算部４を制御する制御部５と、制御部５の消費電流を検出し、消費電流が所定範囲内にない場合に電流値を出力する電流検出部６と、電流検出部６からの電流値を、通信回線を介して集中監視センタへ送信するための通信部７から構成している。
【００１６】
上記構成のように、本実施の形態のガス遮断装置は電流検出部を制御部と別設にすることで、制御部異常状態においても正確な電流値を測定し、ガス遮断の可否を判断することができる。
【００１７】
また、電流検出部からの電流値を、通信回線を介して集中監視センタに送信することで、制御部の電流値を集中監視センタにて確認出来るため、現場にて適切な対応をとることができる。
【００１８】
（実施の形態２）
図２は本発明の実施の形態２のガス遮断装置の構成図である。図２に示すように、実施の形態１との違いは、電流検出部６からの電流値が所定値以上の場合、弁駆動部３に遮断信号を出力する電流値判定部８と、電流検出部６からの電流値が所定値未満の場合、制御部５の回路異常を自己診断する自己診断部９と、電流検出部６からの電流値を記憶しておく記憶部１０と、記憶部１０で記憶されている過去複数回の消費電流値と、測定した消費電流値を比較して、差異が所定範囲内である場合は遮断信号を出力する比較部１１とで構成される。
【００１９】
電流検出部からの電流値が所定値以上の場合、弁駆動部に遮断信号を出力し、ガスを即遮断することで、電池が消耗する前にガス使用上の安全を確保することができる。
【００２０】
さらに、電流検出部からの電流値が所定値未満の場合、制御部の回路異常を自己診断し、回路が異常状態である場合、ガスを即遮断することで、回路異常動作からガス使用上の安全を確保することができる。
【００２１】
また自己診断部の診断結果を通信回路を介して集中監視センタに送信し、検出した異常状態により、制御部の交換までの期間に、ガス使用上、安全上問題ない箇所であれば継続してガスを使用できるようにすることで、ガス使用上の利便性を図ることができる。
【００２２】
また回路が正常状態であった場合、常時一定範囲の消費電流を消費している場合、ガスを遮断することで、電池が消耗する前にガス使用上の安全を確保することができる。
【００２３】
また一定期間後、電流値が正常に戻れば通常にガスを使用することができるため、ガス使用上の利便性を図ることができる。
【産業上の利用可能性】
【００２４】
本発明のガス遮断装置は、制御部が異常状態においても正確にガス遮断の可否を判断することが必要な技術分野などの用途にも適用できる。
【図面の簡単な説明】
【００２５】
【図１】本発明の実施の形態１におけるガス遮断装置の構成図
【図２】本発明の実施の形態２におけるガス遮断装置の構成図
【図３】従来のガス遮断装置の構成図
【符号の説明】
【００２６】
１  流量検出部
２  遮断弁
３  弁駆動部
４  流量演算部
５  制御部
６  電流検出部
７  通信部
８  電流判定部
９  自己診断機能
１０  記憶部
１１  比較部
【図１】
2005077023.tif 000003
【図２】
2005077023.tif 000004
【図３】
2005077023.tif 000005